(57)【要約】【課題】カンチレバーコンタクト用の細長の圧入溝が成型可能であり、当該成型金型が十分な強度を有して耐久性のある金型となるような構造のカンチレバーコンタクト用の圧入溝を有するコネクタを提供する。【解決手段】カンチレバーコンタクト５用の第１固定端部５Ｂが圧入される矩形の第１圧入溝４２１が成型されるに当たり、第１圧入溝４２１に連通する複数の上面開放凹部４２Ｕは上方金型１で成型される。第１圧入溝４２１に連通する下面開放凹部４２Ｄは下方金型２で成型される。上方金型１と下方金型２とが組み合わされて、上面開放凹部４２Ｕと下面開放凹部４２Ｄは交互に形成されている。上面開放凹部４２Ｕと下面開放凹部４２Ｄにより第１圧入溝４２１が断続して形成されている。【選択図】        図６
2005166378.tif 000002
【特許請求の範囲】
【請求項１】
コンタクトキャビティが形成されている絶縁性のハウジングと、前記コンタクトキャビティに圧入される１以上のカンチレバーコンタクトと、を備えているコネクタであって、
前記カンチレバーコンタクトの固定端部が圧入される矩形の圧入溝となる前記コンタクトキャビティは、当該圧入溝に連通する上面開放凹部と下面開放凹部とが交互に形成されており、当該上面開放凹部と当該下面開放凹部とにより前記コンタクトキャビティが断続して形成されていることを特徴とするコネクタ。
【請求項２】
端部に面上接続端子が配列されているメモリカードが挿入されることによって当該メモリカードと電気的に接続されるメモリカード用コネクタであって、
前記メモリカードが挿入されるカード挿入口を有している収納空間からなる概薄直方体形状のカード保持部が形成されており、前記メモリカードは当該面上接続端子が前記カード挿入口から近い位置で停止するように保持されるハウジングと、
前記メモリカードにおける面上接続端子に接触する接点を有しており、当該接点が前記カード保持部に配置されており、当該接点に対向してはんだ接合されるリード部は前記カード挿入口と対向する停止壁から延出している複数個のカンチレバーコンタクトと、を備えており、
前記接点を有する自由端部に近接する第１固定端部を保持するための複数の第１圧入溝が前記カード保持部の底面に形成されており、
前記リード部に近接する第２固定端部を保持するための複数の第２圧入溝が前記カード保持部の底面と対向するハウジングの底面に形成されており、
前記第１圧入溝は当該第１圧入溝に連通する上面開放凹部と下面開放凹部とが交互に形成されており、当該上面開放凹部と当該下面開放凹部とにより前記第１圧入溝が断続して形成されていることを特徴とするメモリカード用コネクタ。
【発明の詳細な説明】
【技術分野】
【０００１】
本発明は、コネクタに関する。特に、コンタクトキャビティが形成されているハウジングと、このコンタクトキャビティに圧入されるカンチレバーコンタクトと、を備えているコネクタに関する。
【背景技術】
【０００２】
カンチレバーコンタクトを備えるコネクタとして、例えば、端部に面上接続端子が配列されているメモリカードが挿入されることによって当該メモリカードとカンチレバーコンタクトとが電気的に接続されるメモリカード用コネクタがある。そして、メモリカードには記録用のメモリカードと情報管理用のメモリカードがある。
【０００３】
記録用のメモリカードとして、例えば、ＳＤ（Ｓｅｃｕｒｅ  Ｄｉｇｉｔａｌ）カード、メモリースティックカード、スマートメディア、ＭＭＣ（Ｍｕｌｔｉｍｅｄｉａ  Ｃａｒｄ）等が現存している。又、情報管理用のメモリカードとして、例えば、携帯電話機に搭載されるＩＣカードとなるＳＩＭ（Ｓｕｂｓｃｒｉｂｅｒ  Ｉｄｅｎｔｉｆｙ  Ｍｏｄｕｌｅ：加入者識別モジュール）カードがある。
【０００４】
そして、これら形状や面上接続端子の配列が異なる複数種類のメモリカードが同時装着可能な複合型のメモリカード用コネクタが求められている。又、複数種類のメモリカードのいずれかのメモリカードが装着可能な共用型のメモリカード用コネクタが求められている。
【０００５】
前述の複合型コネクタとして、ＭＭＣとＳＩＭカードの面上接続端子がコネクタハウジング内に配されたカンチレバーコンタクトと当接するように、コネクタハウジング内に保持するメモリカード用コネクタであって、ＭＭＣ用のカンチレバーコンタクトが配されかつＭＭＣを収容する第１カード収容部と、ＳＩＭカード用のカンチレバーコンタクトが配されかつＳＩＭカードを収容する第２カード収容部と、を上下に配置するメモリカード用コネクタが発明されている（例えば、特許文献１参照）。
【０００６】
特許文献１によるメモリカード用コネクタは、ＭＭＣ用のカンチレバーコンタクトとＳＩＭカード用のカンチレバーコンタクトの配設方向が略直角になるようにコネクタハウジングを構成している。更に、ＳＩＭカードより外形の大きいＭＭＣが収容される第１カード収容部をコネクタハウジングの下側に配し、ＳＩＭカードが収容される第２カード収容部をコネクタハウジングの上側に配置している。特許文献１によるメモリカード用コネクタは、コネクタハウジングの薄型化を可能にするとしている。
【特許文献１】特開２００２−１３４２３４号公報
【発明の開示】
【発明が解決しようとする課題】
【０００７】
図９は、特許文献１による発明において、メモリカード用コネクタの実施形態を示すものであり、開閉カバーが開いた状態を示す斜視図である。本願の図９は、特許文献１の図１に対応している。
【０００８】
図９において、ＭＭＣを収容する第１カード収容部９１は、コネクタハウジング９０の下段に形成されている。一方、ＳＩＭカードを収容する第２カード収容部９２は、コネクタハウジング９０の上段に形成されている。
【０００９】
図９において、ＭＭＣは図中矢印Ａの方向から第１カード収容部９１に挿入され、ＭＭＣ用の図示されないカンチレバーコンタクトは、当該ＭＭＣ用のカンチレバーコンタクトのはんだ接合部９３Ａが第１カード収容部９１の挿入口と対向する側に延出している。
【００１０】
一方、図９において、ＳＩＭカードは第２カード収容部９２に装填される。第２カード収容部９２の底面には、長短二種類のカンチレバーコンタクト９４がその接点を対向するように配置されている。ＳＩＭカード用のカンチレバーコンタクト９４は、はんだ接合部９４Ａを相反するようにコネクタハウジング９０から延出している。
【００１１】
図９において、開閉カバー９５が閉じられて、第２カード収容部９２を蓋うことによりＳＩＭカードと複数のカンチレバーコンタクト９４とが接続される。なお、開閉カバー９５はコネクタハウジング９０にロック可能となっている。
【００１２】
図９において、第２カード収容部９２の底面には、ＳＩＭカード用の複数の（この場合６本）カンチレバーコンタクト９４を位置決めして圧入するための複数の圧入溝９が形成されている。
【００１３】
矩形の断面を有しており、上面は部分的に対向する一対の鍔が延出している図９に示される複数の圧入溝９を成型加工（プラスチック成型）するには、カンチレバーコンタクト９４の固定端部と同形状の断面を有する金属コア（いわゆる、中子）と、主金型となる上方金型が必要となってくる。
【００１４】
しかしながら、図９に示される複数の圧入溝９が更に細長になると、金属コアと上方金型で成型加工するのは困難となってくる。特に、中子となる金属コアを成型後に引き抜くに当たり、圧入溝９が更に細長になると、金属コアは引き抜きに対抗できる強度が保障できないものとなっている。
【００１５】
例えば、メモリカード用コネクタに配列されるカンチレバーコンタクトは、コンタクト配列の狭ピッチ化に伴って、その幅を狭いものとしている。更に、共用形のメモリカード用コネクタにおいては、一方のメモリカードに接触するカンチレバーコンタクトは、その固定端部を細長いものとしている。このような細長の固定端部が圧入される圧入溝の新たな構造が求められている。
【００１６】
本発明は、上述した課題を解決すべく、カンチレバーコンタクト用の細長の圧入溝が成型可能であり、当該成型金型が十分な強度を有して耐久性のある金型となるような構造のカンチレバーコンタクト用の圧入溝を有するコネクタを提供することを目的とする。
【課題を解決するための手段】
【００１７】
発明者は、上記目的を満たすため、上方金型と下方金型とでカンチレバーコンタクト用の細長の圧入溝が成型可能な構造とし、以下のような新たな構造の圧入溝を有するコネクタを発明した。
【００１８】
（１）  コンタクトキャビティが形成されている絶縁性のハウジングと、前記コンタクトキャビティに圧入される１以上のカンチレバーコンタクトと、を備えているコネクタであって、前記カンチレバーコンタクトの固定端部が圧入される矩形の圧入溝となる前記コンタクトキャビティは、当該圧入溝に連通する上面開放凹部と下面開放凹部とが交互に形成されており、当該上面開放凹部と当該下面開放凹部とにより前記コンタクトキャビティが断続して形成されていることを特徴とするコネクタ。
【００１９】
（２）  端部に面上接続端子が配列されているメモリカードが挿入されることによって当該メモリカードと電気的に接続されるメモリカード用コネクタであって、前記メモリカードが挿入されるカード挿入口を有している収納空間からなる概薄直方体形状のカード保持部が形成されており、前記メモリカードは当該面上接続端子が前記カード挿入口から近い位置で停止するように保持されるハウジングと、前記メモリカードにおける面上接続端子に接触する接点を有しており、当該接点が前記カード保持部に配置されており、当該接点に対向してはんだ接合されるリード部は前記カード挿入口と対向する停止壁から延出している複数個のカンチレバーコンタクトと、を備えており、前記接点を有する自由端部に近接する第１固定端部を保持するための複数の第１圧入溝が前記カード保持部の底面に形成されており、前記リード部に近接する第２固定端部を保持するための複数の第２圧入溝が前記カード保持部の底面と対向するハウジングの底面に形成されており、前記第１圧入溝は当該第１圧入溝に連通する上面開放凹部と下面開放凹部とが交互に形成されており、当該上面開放凹部と当該下面開放凹部とにより前記第１圧入溝が断続して形成されていることを特徴とするメモリカード用コネクタ。
【００２０】
（１）記載の発明によれば、「コンタクトキャビティが形成されている絶縁性のハウジングと、前記コンタクトキャビティに圧入される１以上のカンチレバーコンタクトと、を備えているコネクタであって、前記カンチレバーコンタクトの固定端部が圧入される矩形の圧入溝となる前記コンタクトキャビティは、当該圧入溝に連通する上面開放凹部と下面開放凹部とが交互に形成されており、当該上面開放凹部と当該下面開放凹部とにより前記コンタクトキャビティが断続して形成されている」ことを特徴としてよい。
【００２１】
コンタクトキャビティは絶縁性のハウジングに設けたコンタクトを挿入されるための穴であって、カンチレバーコンタクトが挿入されるコンタクトキャビティは、通常、矩形の貫通穴又は矩形の溝で形成される。そして、当該矩形の貫通穴又は矩形の溝にカンチレバーコンタクトが圧入される。
【００２２】
カンチレバーコンタクトは、ばねの働きが片持ち梁の板ばねとなるコンタクトであって、被接続体に接触する接点を有する自由端部と、ハウジングに支持される固定端部とで構成される。プリント基板に表面実装されるコネクタにあっては、固定端部の延出端部がプリント基板にはんだ接合されるリードとなる場合がある。
【００２３】
カンチレバーコンタクトの固定端部には、幅方向に微細突起が相反するように形成されており、この固定端部が絶縁性のハウジングに圧入されると、当該一対の微細突起が矩形の圧入溝の内壁に食い込むことにより、当該固定端部がハウジングに固定される。
【００２４】
カンチレバーコンタクトの固定端部が細長の場合は、当該固定端部が圧入される矩形の圧入溝は「あり溝」状に形成されてよい。「あり溝」状に形成される矩形の圧入溝は、より実体的には凸字状の断面を有する溝であってよい。
【００２５】
そして、この矩形の圧入溝が成型されるに当たり、圧入溝に連通する上面開放凹部は上方金型で成型され、圧入溝に連通する下面開放凹部は下方金型で成型される。上面開放凹部と下面開放凹部は交互に形成されるように上方金型と下方金型が組み合わされ、上面開放凹部と下面開放凹部により圧入溝が断続して形成される。
【００２６】
なお、「上面」と「下面」、又は「上方」と「下方」の区別は相対的なものであって、絶対的な位置関係を規定しているものではない。圧入溝が形成されるハウジング壁の一方の面を「上面」とし、当該一方の面に対向する他方の面を「下面」とする。そして、上面開放凹部を成型するのが上方金型であって、下面開放凹部を成型するのが下方金型となる。
【００２７】
このように、本発明は、対となる上方金型と下方金型との組合せでカンチレバーコンタクト用の細長の圧入溝が成型されるので、従来のように強度が懸念される金属コアを用いることなく、細長の圧入溝が成型可能となった。
【００２８】
そして、上面開放凹部と下面開放凹部とはそれぞれ窪みの深さを浅いものとしているので、上面開放凹部と下面開放凹部とを成型する上方金型と下方金型とは、十分な強度を有して耐久性のある金型となる。
【００２９】
本発明による好適な実施態様によれば、「端部に面上接続端子が配列されているメモリカードが挿入されることによって当該メモリカードと電気的に接続されるメモリカード用コネクタであって、前記メモリカードが挿入されるカード挿入口を有している収納空間からなる概薄直方体形状のカード保持部が形成されており、前記メモリカードは当該面上接続端子が前記カード挿入口から近い位置で停止するように保持されるハウジングと、前記メモリカードにおける面上接続端子に接触する接点を有しており、当該接点が前記カード保持部に配置されており、当該接点に対向してはんだ接合されるリード部は前記カード挿入口と対向する停止壁から延出している複数個のカンチレバーコンタクトと、を備えており、前記接点を有する自由端部に近接する第１固定端部を保持するための複数の第１圧入溝が前記カード保持部の底面に形成されており、前記リード部に近接する第２固定端部を保持するための複数の第２圧入溝が前記カード保持部の底面と対向するハウジングの底面に形成されており、前記第１圧入溝は当該第１圧入溝に連通する上面開放凹部と下面開放凹部とが交互に形成されており、当該上面開放凹部と当該下面開放凹部とにより前記第１圧入溝が断続して形成されている」ことを特徴としてよい。
【発明の効果】
【００３０】
本発明は、対となる上方金型と下方金型との組合せでカンチレバーコンタクト用の細長の圧入溝が成型されるので、従来のように強度が懸念される金属コアを用いることなく、細長の圧入溝が成型可能となった。
【００３１】
更に、カンチレバーコンタクト用の細長の圧入溝に形成される上面開放凹部と下面開放凹部とはそれぞれ窪みの深さを浅いものとしているので、上面開放凹部と下面開放凹部とを成型する上方金型と下方金型は、十分な強度を有して耐久性のある金型となる。
【発明を実施するための最良の形態】
【００３２】
以下、図面を参照して本発明を実施するための最良の形態を説明する。
【００３３】
図１は、本発明によるコネクタの一実施形態を示す斜視外観図である。図１に示されたコネクタ１０は、ＳＤカードとメモリースティックカードが共用されるメモリカード用コネクタである。以下、本発明によるコネクタはメモリカード用コネクタを実施形態として説明する。
【００３４】
図１の実施形態において、カバー３は、両翼が直角に折り曲げられた薄金属板で形成されている。ハウジング４は絶縁性の合成樹脂材で概薄直方体形状に成形されている。そして、ハウジング４は上面開放凹部４０が形成されている。
【００３５】
図１の実施形態において、カバー３が上面開放凹部４０を蓋うことにより、図示されないＳＤカードとメモリースティックカードとが、共用して挿入されるカード挿入口４１を有している収納空間からなる概薄直方体形状のカード保持部４２が形成される。
【００３６】
図１の実施形態において、ＳＤカードにおける面上接続端子と接触する後述する複数のカンチレバーコンタクト５は、カード挿入口４１に対向してハウジング４内に配列されている。複数のカンチレバーコンタクト５は、カード挿入口４１に対向する側面から延出して、図示されないプリント基板にはんだ接合される第１リード部５２を備えている。
【００３７】
図１の実施形態において、メモリースティックカードにおける面上接続端子と接触する後述する複数のカンチレバーコンタクト６は、カード挿入口４１に対向してハウジング４内に配列されている。複数のカンチレバーコンタクト６は、カード挿入口４１に対向する側面から延出して、図示されないプリント基板にはんだ接合される第２リード部６２を備えている。
【００３８】
図１の実施形態において、これら複数の第１リード部５２と複数の第２リード部６２は、それぞれの先端部がプリント基板に挿入され易いように折り曲げられて屈曲している。そして、それぞれの屈曲部はプリント基板の両面に接触するように一定の間隙を空けて対向配置されている。
【００３９】
図２は、図１に示されたカバー３を外した状態におけるコネクタ１０の斜視外観図である。図１の実施形態に示されるように、カード挿入口４１から挿入されるＳＤカードにおいて対向する側面が案内される一対の溝４２Ｃ及び４２Ｄが、カード保持部４２において対向する一対の内壁４２Ａ及び４２Ｂに形成されている。
【００４０】
相対向する溝４２Ｃ及び４２Ｄは、ＳＤカードの横幅より僅かに広い間隔を有している。この溝４２Ｃ及び４２ＤにＳＤカードの横幅が規制されて、ＳＤカードにおける面上接続端子と複数のカンチレバーコンタクト５との位置合わせが可能となる。
【００４１】
そして、ＳＤカードにおける面上接続端子がカード挿入口４１から近い位置で停止するように一対の溝４２Ｃ及び４２Ｄにそれぞれ停止端４２Ｅ及び４２Ｆが設けられている。
【００４２】
図２に示されるように、カンチレバーコンタクト５は、板ばね接触子であって、板ばねの働きが片持梁のコンタクトである。この複数のカンチレバーコンタクト５はＳＤカードの挿入方向と直交する方向に整列して配置されている。
【００４３】
一方、図２の実施形態に示されるように、カード挿入口４１から挿入されるメモリースティックカードにおいて対向する側面が、カード保持部４２において対向する一対の内壁４２Ａ及び４２Ｂで案内される。
【００４４】
対向する一対の内壁４２Ａ及び４２Ｂは、メモリースティックカードの横幅より僅かに広い間隔を有している。そして、この内壁４２Ａ及び４２Ｂにメモリースティックカードの横幅が規制されて、メモリースティックカードにおける面上接続端子と複数のカンチレバーコンタクト６の位置合わせが可能となる。
【００４５】
そして、メモリースティックカードが、カード挿入口４１に対向する停止壁４３に当接することにより、メモリースティックカードにおける面上接続端子がカード挿入口４１から遠い位置で停止される。
【００４６】
図２に示されるように、カンチレバーコンタクト６は、板ばね接触子であって、板ばねの働きが片持梁のコンタクトである。この複数のカンチレバーコンタクト６はメモリースティックカードの挿入方向と直交する方向に整列して配置されている。
【００４７】
図２の実施形態において、複数個のカンチレバーコンタクト５は、ＳＤカードにおける面上接続端子に接触する第１接点５１を有している。複数個のカンチレバーコンタクト５は、第１接点５１がカード保持部４２に配置されている。第１接点５１に対向してはんだ接合される第１リード部５２は、カード挿入口４１と対向する停止壁４３から延出している。
【００４８】
又、図２の実施形態において、複数個のカンチレバーコンタクト６は、メモリースティックカードにおける面上接続端子に接触する第２接点６１を有している。複数個のカンチレバーコンタクト６は、第２接点６１がカード保持部４２に配置されている。第２接点６１に対向してはんだ接合される第２リード部６２は、カード挿入口と対向する停止壁４３から延出している。
【００４９】
そして、図２の実施形態において、複数個のカンチレバーコンタクト５と複数個のカンチレバーコンタクト６とが平行となるようにハウジング４に配列されている。又、複数個の第１リード部５２と複数個の第２リード部６２とが平行となるように停止壁４３から延出している。更に、複数個の第１リード部５２と複数個の第２リード部６２とが一定の間隙を空けて対向配置されている。
【００５０】
次に、図２に示されたカンチレバーコンタクト５の構成を図３により説明する。図３（ａ）はカンチレバーコンタクト５の平面図、図３（ｂ）はカンチレバーコンタクト５の正面図である。又、図３（ｃ）は図３（ａ）に示されたＡ部の拡大図、図３（ｄ）は図３（ａ）に示されたＢ部の拡大図、図３（ｅ）は図３（ａ）に示されたＣ部の拡大図である。
【００５１】
図３の実施形態に示されるように、金属薄板が精密打ち抜き加工されて、複数個のカンチレバーコンタクト５が一括形成される。複数個のカンチレバーコンタクト５は中間部と端末部が連結されているが、組立時においてこれら連結部は切り離される。例えば、図３（ｄ）に示された点線部が折り曲げられて切り離される。
【００５２】
図３の実施形態において、カンチレバーコンタクト５は、第１接点５１を有する第１自由端部５Ａに近接する第１固定端部５Ｂが形成されている。又、カンチレバーコンタクト５は、第１リード部５２に近接する第２固定端部５Ｃが形成されている。
【００５３】
第１固定端部５Ｂは、後述するカード保持部４２の底面４２０に形成される第１圧入溝４２１に圧入される。一方、第２固定端部５Ｃは、後述するカード保持部４２の底面４２０と対向するハウジング４の底面４２３に形成される第２圧入溝４２２に圧入される。
【００５４】
又、図３（ｅ）に最もよく示されるように、第１固定端部５Ｂには、幅方向に対をなす第１微細突起５１１及び５１２が相反するように形成されている。更に、第１固定端部５Ｂには、幅方向に対をなす第２微細突起５１３及び５１４が相反するように形成されている。
【００５５】
一方、図３（ｃ）に最もよく示されるように、第２固定端部５Ｃには、幅方向に対をなす第３微細突起５１５及び５１６が相反するように形成されている。第１微細突起５１１及び５１２と第３微細突起５１５及び５１６とが、それぞれ矩形の第１圧入溝４２１及び第２圧入溝４２２の内壁に食い込むことにより、第１固定端部５Ｂ及び第２固定端部５Ｂがハウジング４（図２参照）に固定される。
【００５６】
次に、図４によりコネクタ１０の構成を更に説明する。図４（ａ）は図２に示されたカバー３を外した状態におけるコネクタ１０の平面図であり、一部を断面としている。図４（ｂ）は図４（ａ）の正面図、図４（ｃ）は図４（ａ）の右側面図である。又、図４（ｄ）は図４（ａ）の背面図、図４（ｅ）は図４（ａ）の底面図である。
【００５７】
図４（ａ）に最もよく示されているように、第１接点５１を有する第１自由端部５Ａに近接する第１固定端部５Ｂを保持するための複数の第１圧入溝４２１が、カード保持部４２の底面４２０に形成されている。
【００５８】
又、図４（ｅ）に最もよく示されているように、第１リード部５２に近接する第２固定端部５Ｃを保持するための複数の第２圧入溝４２２が、カード保持部４２の底面４２０と対向するハウジング４の底面４２３に形成されている。
【００５９】
そして、図４の実施形態において、複数の第１圧入溝４２１と複数の第２圧入溝４２２とが隔絶される貫通穴４２４がカード保持部４２の底面４２０に形成されている。カンチレバーコンタクト５は、貫通穴４２４に第１自由端部５Ａが差し込まれ、第１固定端部５Ｂと第２固定端部５Ｃとが、第１圧入溝４２１と第２圧入溝４２２とに協動して圧入される。
【００６０】
一方、図４の実施形態において、第２接点６１を有する第２自由端部６Ａに連続する第３固定端部６Ｂを保持するための複数の矩形穴４３１が、停止壁４３に形成されている。複数の矩形穴４３１はカード挿入口４１に向けて貫通しており、カンチレバーコンタクト６は、第２自由端部６Ａがカード挿入口４１に向けて矩形穴４３１に差し込まれ、第３固定端部６Ｂが矩形穴４３１に圧入される。
【００６１】
次に、本発明によるコネクタの作用を説明する。
【００６２】
図５は、ハウジング４の斜視外観図であり、縦断面図としている。図５の実施形態において、図３に示されたカンチレバーコンタクト５における第１固定端部５Ｂが圧入される第１圧入溝４２１を成型するための上方金型１と下方金型２が配置されている。
【００６３】
図６は、図５において点線で円形に囲われた部分の拡大図である。図６の実施形態において、矩形の第１圧入溝４２１が成型されるに当たり、第１圧入溝４２１に連通する複数の上面開放凹部４２Ｕは上方金型１で成型される。一方、第１圧入溝４２１に連通する下面開放凹部４２Ｄは下方金型２で成型される。
【００６４】
図６の実施形態に示されるように、上方金型１と下方金型２とが組み合わされて、上面開放凹部４２Ｕと下面開放凹部４２Ｄは交互に形成されている。そして、上面開放凹部４２Ｕと下面開放凹部４２Ｄにより第１圧入溝４２１が断続して形成されている。
【００６５】
図７は、対向する上方金型１と下方金型２とのそれぞれの対向面を重ねあわせた図である。図７において、右上から左下にハッチングで描かれた部分は、上方金型１の対向面を示しており、左上から右下にハッチングで描かれた部分は、下方金型２の対向面を示している。これらのハッチングが重複した部分は綾目状に描かれている。
【００６６】
図７に示されるように、上方金型１と下方金型２とが精密に組み合わされることにより、図３に示された第１固定端部５Ｂの断面形状に見合った第１圧入溝４２１が形成されることになる。なお、図７において、第１圧入溝４２１には段差部が設けられており、図３に示された第２微細突起５１３及び５１４が前記段差部に位置決め停止される。
【００６７】
図８は、従来のカンチレバーコンタクト用の細長の圧入溝と、成型容易に改善された当該圧入溝を比較した図である。図８（ａ）は従来のコネクタ１０の縦断面図であり、図８（ｂ）は改善されたコネクタ１０の断面図である。
【００６８】
図８（ａ）に示されるように、従来のコネクタ１０は図３に示された第１固定端部５Ｂが圧入される圧入穴は細長の貫通穴となっていた。このような細長の貫通穴を成型するためには、既に述べたように細長の金属コア（いわゆる、中子）が必要となってくる。そして、中子となる細長の金属コアは、強度と耐久性に問題があることも既に述べたとおりである。
【００６９】
一方、図８（ｂ）に示されるように、改善されたコネクタ１０は、図６で示されたように、上方金型１と下方金型２とが組み合わされて、上面開放凹部４２Ｕと下面開放凹部４２Ｄは交互に形成されている。そして、上面開放凹部４２Ｕと下面開放凹部４２Ｄにより第１圧入溝４２１が断続して形成されている。
【００７０】
そして、図８（ｂ）に示されるように、カンチレバーコンタクト５用の細長の圧入溝４２１に形成される上面開放凹部４２Ｕと下面開放凹部４２Ｄとは、それぞれ窪みの深さを浅いものとしている。つまり、上面開放凹部４２Ｕと下面開放凹部４２Ｄとを成型する図６で示された上方金型１と下方金型２は、十分な強度を有して耐久性のある金型となる。
【図面の簡単な説明】
【００７１】
【図１】本発明によるコネクタの一実施形態を示す斜視外観図である。
【図２】図１に示されたカバーを外した状態における本発明によるコネクタの斜視外観図である。
【図３】図２に示されたカンチレバーコンタクトの構成図である。
【図４】図２に示されたカバーを外した状態における本発明によるコネクタの構成図である。
【図５】本発明によるハウジングの縦断面の斜視外観図である。
【図６】図５において点線で円形に囲われた部分の拡大図である。
【図７】本発明による対向する上方金型と下方金型とのそれぞれの対向面を重ねあわせた図である。
【図８】従来のカンチレバーコンタクト用の細長の圧入溝と、成型容易に改善された当該圧入溝を比較した図である。
【図９】特許文献１による発明において、メモリカード用コネクタの実施形態を示すものであり、開閉カバーが開いた状態を示す斜視図であり、特許文献１の図１に対応している図である。
【符号の説明】
【００７２】
１    上方金型
２    下方金型
３    カバー
４    ハウジング
５・６    カンチレバーコンタクト
５Ａ    第１自由端部
５Ｂ    第１固定端部
５Ｃ    第２固定端部
６Ａ    第２自由端部
６Ｂ    第３固定端部
１０    コネクタ
４０    上面開放凹部
４１    カード挿入口
４２    カード保持部
４２Ｄ    下面開放凹部
４２Ｕ    上面開放凹部
４２Ａ・４２Ｂ    内壁
４２Ｃ・４２Ｄ    溝
４２Ｅ・４２Ｆ    停止端
４３    停止壁
５１    第１接点
５２    第１リード部
６１    第２接点
６２    第２リード部
４２０    底面
４２１    第１圧入溝
４２２    第２圧入溝
４２３    底面
４２４    貫通穴
４３１    矩形穴
５１１・５１２    第１微細突起
５１３・５１４    第２微細突起
５１５・５１６    第３微細突起
【図１】
2005166378.tif 000003
【図２】
2005166378.tif 000004
【図３】
2005166378.tif 000005
【図４】
2005166378.tif 000006
【図５】
2005166378.tif 000007
【図６】
2005166378.tif 000008
【図７】
2005166378.tif 000009
【図８】
2005166378.tif 000010
【図９】
2005166378.tif 000011